(57)【特許請求の範囲】
【請求項１】
筒状部を有してなる第１の部材と、
当該第１の部材に対し前記筒状部が延びる方向に嵌り得る第２の部材とを有するものであって、
前記筒状部の一部を切り起した切り起こし壁を設け、
この切り起こし壁が、前記筒状部の延びる方向に延びる基端部と、この基端部の端から前記筒状部が延びる方向に直交する方向に立ち上がり前記第２の部材に当接し得る当接部とを具備し、
前記筒状部が断面視矩形状をなすとともに前記切り起こし壁が前記断面視矩形の何れかの一辺を構成する面板部から切り起こされたものであり、
前記切り起こし壁の先端部が前記面板部の縁から切り起こされていることを特徴とする家具。
【請求項２】
前記筒状部が断面視矩形状をなすとともに前記切り起こし壁が前記断面視矩形の何れかの一辺を構成する面板部から切り起こされたものであり、
前記基端部が前記面板部の中間から切り起こされている請求項１記載の家具。
【請求項３】
前記第１の部材が複数の筒状部を有している請求項１又は２記載の家具。
【請求項４】
前記切り起こし壁が平板状に形成されている請求項１、２又は３記載の家具。
【発明の詳細な説明】
【技術分野】
【０００１】
本発明は、オフィス等に好適に用いられる家具に関するものである。
【背景技術】
【０００２】
従来、家具を構成する二つの部材を長手方向に接続するための構造としては、一方の部材を筒状に構成するとともに他方の部材に突起を設け、この突起を一方の部材に当接させることによって、両部材を位置決めするという構造が多く用いられている（例えば、特許文献１参照）。当該特許文献では、内筒から起立させたストッパを外筒に設けたスリットに挿入し、動作端においてスリットの端部にストッパを当接させることにより、両部材を動作端で位置決めし得るものとなっている。
【０００３】
しかしながら、当該文献のストッパの構造では、スリットの端部とストッパとの当接する衝撃が強いと、ストッパを構成している板金が厚み方向に撓んでしまい、正確な位置での位置決めがし難いものとなっている。すなわち斯かる構成は、家具において荷重が大きく掛る部位や位置決めの正確さが求められる部位には用い難いものとなっている。
【先行技術文献】
【特許文献】
【０００４】
【特許文献１】特開平８−１２６５３２号公報
【発明の概要】
【発明が解決しようとする課題】
【０００５】
本発明は以上の点に着目し、一方の部材と他方の部材とを接続し位置決めする際に、荷重や衝撃に強く、しかも正確に位置決めし得る構造を適用した家具を提供する。
【課題を解決するための手段】
【０００６】
すなわち本発明の家具は、筒状部を有してなる第1の部材と、当該第1の部材に対し前記筒状部が延びる方向に嵌り得る第２の部材とを有するものであって、前記筒状部の一部を切り起した切り起こし壁を設け、この切り起こし壁が、前記筒状部の延びる方向に延びる基端部と、この基端部の端から前記筒状部が延びる方向に直交する方向に立ち上がり前記第２の部材に当接し得る当接部とを具備してなる。
【０００７】
このようなものであれば、切り起こし壁に対して第２の部材が素材の厚み方向に直交する方向から当接することになる。そうすることにより、切り起こし壁は当該当接によって切り起こし壁自体の切り起こし方向に衝撃が加わることが有効に回避される。さらに当該衝撃は、切り起こされた素材を面方向から圧縮する方向の外力として受けることができるので、厚み方向に衝撃を受けるよりも、素材の撓みや曲がりといった変形が起こり難いものとなっている。すなわち、切り起こし壁によって、より正確且つ強固な構造を実現している。
【０００８】
そして、切り起こし壁を設ける際に筒状部の変形等を有効に回避し得るものとして本発明は、筒状部が断面視矩形状をなすとともに切り起こし壁が断面視矩形の何れかの一辺を構成する面板部から切り起こされたものであり、切り起こし壁の先端部が面板部の縁から切り起こされていることを特徴とする。すなわち、面板部の縁から切り起こすことによって、切り起こし壁を構成する面板部に隣接する面板部は、切り起こしの際の外力を厚み方向に直交する方向から受けるため、筒状部自体の不要な変形を起こし難いものとなっている。
【０００９】
他方、切り起こし壁の基端部を正確に成形するための構成としては、筒状部が断面視矩形状をなすとともに切り起こし壁が断面視矩形の何れかの一辺を構成する面板部から切り起こされたものであり、基端部が面板部の中間から切り起こされたものとすれば、基端部よりも更に基端寄りにも筒状部内の空間の一部を形成されることになる。成形の際にはこの空間にバックアップ材等を詰めておくことにより、正確な基端部の成形が可能となる。
【００１０】
そして、より強度の高い構成とするためには、第1の部材が複数の筒状部を有するものとして、第１の部材自体の曲げ強度を向上させておくことが望ましい。
【００１１】
また、切り起こし壁自体の強度を有効に高めておくためには、当該切り起こし壁のを平板状に形成しておくことで、第２の部材からの衝撃や荷重を切り起こし壁全体で受け得るものとしておくことが望ましい。
【発明の効果】
【００１２】
本発明によれば、荷重や衝撃に強く、しかも正確に位置決めし得る構造を、部品点数のいたずらな増加を招くことなく実現することができる。
【図面の簡単な説明】
【００１３】
【図１】本発明の一実施形態に係る外観図。
【図２】同分解斜視図。
【図３】同実施形態に係る要部を示す正断面図。
【図４】図３におけるａ−ａ線断面図。
【図５】同実施形態における要部を示す斜視図。
【図６】同上。
【図７】同実施形態に係る要部拡大図。
【図８】図７におけるｂ−ｂ線断面図。
【図９】同実施形態の変形例に係る外観図。
【発明を実施するための形態】
【００１４】
以下、本発明の一実施の形態について図１乃至図８を参照して説明する。
【００１５】
本実施形態は、図１及び図２に示すように、デスクＤに、本発明の家具の一例として示されるデスクトップパネルシステムＰを取り付けてなるものである。
【００１６】
本実施形態のデスクＤは、図１及び図２に示すように、天板Ｄ１と、天板Ｄ１を支持する脚体Ｄ２とを具備する。天板Ｄ１の反使用端縁の左右両端部には、デスクトップパネルシステムＰを取り付けるためのオプション取付孔Ｄ３ａを備えたコーナー部材Ｄ３が着脱可能に設けられている。
【００１７】
デスクトップパネルシステムＰは、図１乃至図４に示すように、第１の部材である縦枠材１１を有するベースパネル１と、このベースパネル１をデスクＤに取り付けるための第２の部材に該当する取付用支柱２と、このベースパネル１上に配してなる１又は複数のスタックオンパネル３と、このスタックオンパネル３とベースパネル１との接続、又はスタックオンパネル３同士の縦方向の接続を行うための第２の支柱たるスタック用支柱４と、スタックオンパネル３とベースパネル１との接続、又はスタックオンパネル３同士が巾方向に隣接するときに互いを接続する際に用いるコネクタ部材５（図３）と、コーナー部材Ｄ３上に配されるカバー部材６（図２）とを具備する。
【００１８】
ベースパネル１は、図１乃至図４に示すように、両側部に配してなる左右の縦枠材１１と、これら縦枠材１１の下端部間に配された下枠材１２と、前記縦枠材１１の上端部間に配された上枠材１３と、この上枠材１３の上方に取り付けてなる笠木１４と、前記縦枠材１１、下枠材１２、及び上枠材１３に囲まれた空間に配された芯材たるハニカムコア１５と、前記縦枠材１１、下枠材１２、上枠材１３の両面に添接された面板１６と、前記縦枠材１１の上端面を覆う開閉可能なキャップ１７とを具備する。
【００１９】
下枠材１２は、例えばアルミ押出し成形により形成している。この下枠材１２は、図３及び図４に示すように、長手寸法の全域にわたって同一側断面形状を有する。上枠材１３は、図４及び図８に示すように、前記左右の縦枠材１１の上端間の略全域にわたって延びる部材で、本実施形態では木材を使用して形成される。この上枠材１３も、長手寸法の全域にわたって同一側断面形状を有する。また、この上枠材１３の上面には、笠木１４を取り付けるための巾方向に延伸する笠木取付溝１３ａが設けられている。笠木１４は、図４及び図７に示すように、巾方向に延伸し長手寸法の全域にわたって同一側断面形状を有する。面板１６は、本実施形態では前後一対に設けている。この面板１６は、図４及び図６に示すように、前記縦枠材１１、上枠材１３及び下枠材１２の前面又は後面に添接する板材１６１と、この板材１６１を被覆する面板本体１６２とを具備する。本実施形態では、板材１６１に、前記縦枠材１１、上枠材１３、下枠材１２及びハニカムコア１５を接着剤等を用いて接着し、面板本体１６２を板材１６１に接着剤等を用いて接着することによりベースパネル１が形成される。キャップ１７は、前記面板１６及び縦枠材１１の上端面を覆うものである。
【００２０】
前記縦枠材１１は、図３乃至図８に示すように、４つの平板部１１１ａからなる平断面視矩形状をなす周壁１１１と、この周壁１１１の内部を隔壁１１２に区画されることにより第１筒状部１１ａと第２筒状部１１ｂとを具備し、高さ寸法の全域にわたって同一平断面形状を有する。この縦枠材１１は、例えばアルミ押出し成形により形成される。前記第１筒状部１１ａは、前記第２筒状部１１ｂよりもベースパネル１の側端寄りに配されている。また、前記周壁１１１の第２筒状部１１ｂに向かう面からは、スタック用支柱４の巾方向への移動を規制するための位置決め突起１１４が内方に突出した状態で設けられている。さらに、前記隔壁１１２にはねじ穴形成用筒状部１１５が形成されている。このねじ穴形成用筒状部１１５の上下両端部の内面には雌ねじ１１５ａが形成されている。
【００２１】
しかして本実施形態では、第１の部材であるこの縦枠材１１の第１筒状部１１ａ内には、取付用支柱２の上端面に衝き当たることにより第２の部材である取付用支柱２との上下方向の相対的な位置決めを行うために面板部１１１ａから切り起こした切り起こし壁たるストッパ１１３が設けられている。そしてこのストッパが筒状部たる第１筒状部１１ａの延びる方向に延びる基端部１１３ａと、この基端部１１３ａの端から第１筒状部１１ａが延びる方向に直交する方向である内方に立ち上がり第２の部材である取付用支柱２の上端面２ａに当接し得る当接部１１３ｄとを具備してなることを特徴としている。なお本実施形態では、このストッパ１１３が形成される際に同時に設けられる開口１１６、そして開口１１６に対面する位置に設けられるスリット１１７も有している。
【００２２】
以下、ストッパ１１３及び開口１１６の具体的な構成について説明する。
【００２３】
ストッパ１１３は、図５乃至図８に示すように、周壁１１１の平板部１１ａの中間から端縁１１１ｂに亘って平板状、換言すれば断面視同一形状となるように第１筒状部１１ａの内方へ向けて切り起こされたものである。このストッパ１１３は、第１筒状部１１ａの延びる方向、すなわち縦枠材１１の長手方向に沿って面板部１１１ａを直線状に折り曲げることによって形成された屈曲部分である基端部１１３ａと、面板部１１１ａの端縁１１１ｂから面板部１１１ａが切断されることにより形成され第１筒状部１１ａの内部に位置付けられた先端部１１３ｂと、切り起こされた面板部１１１ａからなる平板部１１３ｃと、平板部１１３ｃの下側に面した端面である当接部１１３ｄとを有している。そして本実施形態では、ストッパが面板部１１１ａの中間部分から切り起こされている。これにより、ストッパ１１３を切り起こす際、基端部１１３ａよりもさらに基端側にスペーサを挿入しながら基端部が正確に切り起こし得るようになっている。つまり前記スペーサが挿入さ得る第１筒状部１１ａ内の空間が、ストッパ１１３を形成するための成型用空間１１ａ１となっている。
【００２４】
開口１１６は、上記ストッパ１１３を成形する際に面板部１１１ａをコの字状に切断することにより形成されたものである。本実施形態では、開口１１６の内側である開口縁１１６ａが、ストッパ１１３よりも上下に大きく位置付けられるとともに、面板部１１１ａの端縁１１１ｂが露出するように形成されている。
【００２５】
取付用支柱２は、図２、図４、図５及び図６に示すように、上部をベースパネル１の縦枠材１１の第１筒状部１１ａの延びる方向に嵌めて、換言すれば挿入してなるとともに、下部をデスクＤの天板Ｄ１の反使用端縁に設けたパネル取付孔に挿入することにより、ベースパネル１と天板Ｄ１とを接続するものである。この取付用支柱２の高さ方向中間部には、前記縦枠材１１の前後の周壁１１１との間の隙間をなくすべく、スペーサ部材２１が設けられている。そして、この取付用支柱２の上端面２ａが第１筒状部１１ａ内のストッパ１１３の下面に衝き当たることにより、この取付用支柱２とベースパネル１との間の位置決めが行われる。ここで、本実施形態では、デスクＤの反使用端側にデスクＤと同一の構成を有する他のデスクＤの反使用端を突き合わせて利用する際に、ベースパネル１の奥行き方向中央の位置をこれら２つのデスクＤの反使用端に一致させるようにし、これら２つのデスクＤの双方からのベースパネル１及びスタックオンパネル３の利用の便を図るべく、取付用支柱２の前記第１筒状部１１ａ内に挿入される部位が、デスクＤに取り付けられる部位よりも後方に位置付けられている。
【００２６】
スタックオンパネル３は、上述したベースパネル１においてストッパ１１３，開口１１５及びスリットを設けてないものと略同一の構造を有するが、勿論ベースパネル１と同一構造をなしたものでもよい。すなわち、図４及び図７に示すように、両側部に配してなる左右の縦枠材３１と、これら縦枠材３１の下端部間に配された下枠材３２と、前記縦枠材３１の上端部間に配された上枠材３３と、この上枠材３３の上方に取り付けてなる笠木３４と、前記縦枠材３１、下枠材３２、及び上枠材３３に囲まれた空間に配された芯材たるハニカムコア３５と、前記縦枠材３１、下枠材３２、及び上枠材３３の両面に添接された面板３６と、前記縦枠材３１の上端面を覆う開閉可能なキャップ３７とをそれぞれ具備する。左右の縦枠材３１、ハニカムコア３５及び面板３６は、高さ寸法が異なる以外上述したベースパネル１におけるものと同一の構造を有する。下枠材３２、上枠材３３及び笠木３４は、上述したベースパネル１におけるものと全く同一の構造を有する。すなわち、このスタックオンパネル３の各部位には、上述したベースパネル１におけるものと同一の名称、及び上１桁目の１を３に変えた符号を付すものとしている。
【００２７】
縦枠材３１の第１筒状部３１ａ内には、図３に示すように、巾方向に隣接するスタックオンパネル３と接続する際に用いるコネクタ部材５が収納されているが、本実施形態では当該コネクタ部材５を想像線にて示している。
【００２８】
スタック用支柱４は、図３に示すように、上部をスタックオンパネル３の縦枠材３１の第２筒状部３１ｂに下方から挿入可能であるとともに下部をベースパネル１又は他のスタックオンパネル３の縦枠材１１（３１）の第２筒状部１１ｂ（３１ｂ）に上方から挿入可能な支柱本体４１と、この支柱本体４１の高さ方向中間部に設けてなりスタックオンパネル３の縦枠材３１の下面に添接可能な取付板材４２とを備えている。前記支柱本体４１は平断面視コ字状をなしている。前記取付板材４２には、雄ねじ部材を通過させることが可能なねじ挿通孔４２ａが一端側に設けられている。このスタック用支柱４は、本実施形態ではねじ取付板材４２を通過させた雄ねじ部材を縦枠材３１のねじ穴形成用筒状部３１５に形成した雌ねじ３１５ａに螺着することにより、スタックオンパネル３に着脱可能に取り付けられる。
【００２９】
ここで、本実施形態のデスクトップパネルシステムＰのデスクＤへの取り付けは、図２に示される通り以下のようにして行う。
【００３０】
まず、取付用支柱２の上部をベースパネル１の縦枠材１１の第１筒状部１１ａに挿入し、図３の通りストッパ１１３の当接面１１３ｄに取付用支柱２の上端面２ａに当接させることにより、該取付用支柱２をベースパネル１に固定する。それから、取付用支柱２の下部にカバー部材６を取り付け、取付用支柱２をデスクＤの天板Ｄ１に予め形成したオプション取付孔Ｄ３ａに挿入することにより、ベースパネル１を天板Ｄ１に取り付ける。それから、スタック用支柱４の上部をスタックオンパネル３の第２筒状部１１ｂに挿入し、このスタック用支柱４をスタックオンパネル３に固定する。そして、スタック用支柱４の下部をベースパネル１の縦枠材１１の第２筒状部１１ｂに挿入することにより、スタックオンパネル３とベースパネル１とを連結する。さらに、第２のスタックオンパネル３を上方に連結する際には、第２のスタック用支柱４の上部を第２のスタックオンパネル３の第２筒状部１１ｂに挿入し、第２のスタック用支柱４を第２のスタックオンパネル３に固定する。そして、第２のスタック用支柱４の下部を、先にベールパネル１の上方に連結したスタックオンパネル３の縦枠材１１の第２筒状部１１ｂに挿入する。なお本実施形態では、コネクタ部材５を介して巾方向に隣接するスタックオンパネル３同士を連結可能である。
【００３１】
以上のような構成とすることにより、本実施形態に係る家具たるデスクトップパネルシステムＬＰでは、ストッパ１１３の基端部１１３ａを第１筒状部１１ａの延びる方向に形成しているので、第１の部材たる縦枠材１１と取付用支柱２との接続の際、切り起こし壁たるストッパ１１３に対して第２の部材たる取付用支柱２が素材の厚み方向に直交する方向から当接するものとなっている。そうすることにより、ストッパ１１３は当接によってストッパ１１３自体の切り起こし方向に衝撃が加わって素材が面方向に変形するように外力が加わることが有効に回避される。さらに当該衝撃は、切り起こされた面板部１１１ａを面方向から圧縮する方向の外力として受けることができるので、厚み方向に衝撃を受けるよりも、素材の撓みや曲がりといった変形が起こり難いものとなっている。すなわち、ストッパ１１３によって、より正確且つ強固な位置決め構造を実現している。
【００３２】
そしてストッパ１１３を設ける際に第１筒状部１１ａの変形等を有効に回避し得るために本実施形態では、第１筒状部１１ａを断面視矩形状としストッパ１１３が断面視矩形の何れかの一辺を構成する面板部１１１ａから切り起こし、ストッパ１１３の先端部１１３ｂを面板部１１１ａの縁である端縁１１１ｂから切り起こすという構成により、ストッパ１１３を構成する面板部１１１ａに隣接する面板部１１１ａは、切り起こしの際の外力を厚み方向に直交する方向から受けるため、製造時における第１筒状部１１ａ自体の不要な変形を起こし難いものとなっている。
【００３３】
他方、ストッパ１１３の基端部１１３ａを正確に成形できるようにするための構成として本実施形態は、基端部１１３ａが面板部１１１ａの中間から切り起こされたものとして、基端部１１３ａよりも更に基端寄りの箇所に成形用空間を形成しておくようにしている。これにより、成形の際にはこの空間にバックアップ材等を詰めておく等して、正確な基端部１１３ａの成形を実現している。
【００３４】
そして、縦枠材１１がより強度の高い構成となるように本実施形態では、複数の筒状部、つまり第１筒状部１１ａ、第２筒状部１１ｂを有するものとして、縦枠材１１自体の曲げ強度を有効に向上させている。
【００３５】
また、ストッパ１１３自体の強度を有効に高めておくために本実施形態では、当該ストッパ１１３を平板状に形成した平板部１１３ｃを主体として、取付用支柱２からの衝撃や荷重をストッパ１１３全体で受け得るものとしている。
【００３６】
＜変形例＞
以下、本実施形態の変形例について詳述するが、同変形例において、上記実施形態における構成要素に相当するものについては同じ符号を付すとともに、その詳細な説明を省略するものとする。
【００３７】
本変形例に係る家具たるローパーティションＬＰは、床面に設置されるベース脚Ｂを具備するとともに、当該ベース脚Ｂに設けられた第２の部材たる取付用支柱２に対して第１の部材たる縦枠材１１を上記実施形態と同様に接続することにより、ベース脚がＢベースパネル１を強固に支持するとともに正確に位置決めし得るものとなっている。
【００３８】
このように本発明に係る家具とは、上記実施形態のようなデスクトップパネルシステムＰに限られることはない。つまり本発明は、オフィスにおいて好適に用いられるあらゆる家具に対して好適に適用し得るものである。
【００３９】
以上、本発明の実施形態並びに変形例について説明したが、各部の具体的な構成は、上述した実施形態のみに限定されるものではなく、本発明の趣旨を逸脱しない範囲で種々変形が可能である。
【００４０】
例えば、上記実施形態では切り起こし壁を第１の部材の内側に起立させた態様を開示したが、勿論、外側に起立させたものであってもよい。この場合、第２の部材は第１の部材の外側から覆うように嵌る構成となる。また切り起こし壁の形状は平板状のものに限定されることはない。すなわち基端部が延びる方向から見た場合に同一形状をなすようなものであれば、湾曲したり、屈曲したりしていても、上記実施形態同様に高い強度と正確な位置決めを両立し得る。また上記実施形態では第２の部材の先端で切り起こし壁に当接する態様を開示したが勿論第２の部材の先端部以外の箇所が切り起こし壁に当接するものとしても良い。さらに切り起こし壁を設ける場所や第２の部材の具体的な形状といった具体的な態様は上記実施形態のものに限定されることはなく、既存のものを含め、種々の態様のものを適用することができる。
【００４１】
その他、各部の具体的構成についても上記実施形態に限られるものではなく、本発明の趣旨を逸脱しない範囲で種々変形が可能である。
【産業上の利用可能性】
【００４２】
本発明はオフィス等に好適に用いられる家具として利用することができる。
【符号の説明】
【００４３】
１１…第1の部材（縦枠材）
１１ａ…筒状部（第１筒状部）
１１ａ１…成型用空間
１１１ｂ…縁（端縁）
１１ｂ…筒状部（第２筒状部）
１１１…周壁
１１１ａ…面板部
１１３…切り起こし壁（ストッパ）
１１３ａ…基端部
１１３ｄ…当接部
２…第２の部材（取付用支柱）
Ｐ…家具（デスクトップパネルシステム）
ＬＰ…家具（ローパーティション）
【図１】
0005824636.tif 000002
【図２】
0005824636.tif 000003
【図３】
0005824636.tif 000004
【図４】
0005824636.tif 000005
【図５】
0005824636.tif 000006
【図６】
0005824636.tif 000007
【図７】
0005824636.tif 000008
【図８】
0005824636.tif 000009
【図９】
0005824636.tif 000010